(57)【要約】【課題】接続が必要以上に長く維持されないようにし、トラフィックの量を低下させない無線通信ネットワークにおける接続の解除を実現すること。【解決手段】通信ネットワーク（たとえば、ＵＭＴＳ）において使用するための、無線ネットワークコントローラなどのネットワーク要素（１０ａ）であって、当該ネットワーク要素（１０ａ）が、移動局（６）とエンド要素（１４）、たとえばＳＧＳＮとのあいだに構成され、当該ネットワーク要素（１０ａ）を介して前記移動局（６）およびエンド要素（１４）間の接続が確立され、前記エンド要素（１４）および移動局（６）間の接続が解除されるべきか否かを決定するための決定手段を備えてなるネットワーク要素（１０ａ）である。【選択図】図２Ａ
2008228326.tif 000002
【特許請求の範囲】
【請求項１】
無線ネットワーク制御装置によって通信ネットワークに移動局とエンド要素との接続を確立し、
前記無線ネットワーク制御装置において、前記移動局とエンド要素との間の接続にかかわるパラメータの少なくとも１つを監視し、
前記無線ネットワーク制御装置において、前記移動局とエンド要素との間の接続が、前記監視された少なくとも１つのパラメータのみにしたがって解除されるべきか否かを決定することを含んでなる
ことを特徴とする通信ネットワークの使用方法。
【請求項２】
前記少なくとも１つのパラメータが、ユーザの使用可能性評価を含み、前記ネットワーク要素が、ユーザが所与の時間使用不可の場合に接続を解除することを決定する請求項１記載の方法。
【請求項３】
前記監視手段によって監視されたユーザの使用可能性のみにしたがって、エンド要素と移動局との間の接続を解除することをさらに含む請求項２記載の方法。
【発明の詳細な説明】
【技術分野】
【０００１】
本発明は、通信ネットワーク用のネットワーク要素に関する。特に、しかし排他的にではなく、ネットワーク要素は、符号分割多重接続無線セルラ通信ネットワークにおける無線ネットワーク制御装置である。
【背景技術】
【０００２】
符号分割多重接続（ＣＤＭＡ）の使用は、次世代のセルラ通信ネットワークに提案されている。さらに、符号分割多重接続は米国のＩＳ−９５標準にも使用されている。ＣＤＭＡは直接的なシーケンスによるスペクトラム拡散技術である。ＣＤＭＡを使用する無線セルラネットワークでは、第１基地局に関連付けられる１つのセル内の移動局は、第２基地局に関連付けられる隣接セル内の移動局と同一周波数を使用する。各移動局は異なる拡散符号を使用するので、異なる移動局はそれぞれの基地局によって区別することができる。
【発明の開示】
【発明が解決しようとする課題】
【０００３】
現在提案されている新しいＣＤＭＡ規格の１つでは、移動局から基地局へ、基地局から無線ネットワーク制御装置へ、および無線ネットワーク制御装置からコアネットワークへの接続が行われる。コアネットワークは、移動局とコアネットワークとの間の接続の確立（establishment）および解除（release）を制御するように構成される。不規則に送信されるデータのパケットから成る「バースティ（bursty：殺到する）」トラフィックでは、コアネットワークは、コアネットワークと移動局との間、およびその逆に伝送されるトラフィックを予測することができない。
【０００４】
接続の解除を制御するために、タイマ機構をコアネットワークにより使用することが提案されている。例えば、データのパケットがＸ秒間受信されなかった場合には、接続が解除される。
【０００５】
この方法には、コアネットワークが適切な時間にこの接続を解除しないかもしれないという問題がある。これは、コアネットワークが、接続の早期切断が適切であることを示す無線ネットワーク制御装置または移動局のパラメータを知らないためである。これは、接続が必要以上に長く維持される結果を招くことがある。これはネットワーク内の資源を無駄に使い果たし、それは、サポートできるトラフィックの量を低下させるかもしれない。
【課題を解決するための手段】
【０００６】
本発明の実施形態の目的は、この問題に取り組むことである。本発明の一態様では、通信ネットワーク用のネットワーク要素を設け、前記ネットワーク要素を移動局（端末局）とエンド要素（端末要素）との間に配置する。そこでは、前記移動局と前記エンド要素との間で、前記ネットワーク要素を介して接続が確立され、前記ネットワーク要素は、前記エンド要素と前記移動局との間の接続を解除すべきかどうかを決定する手段を備えている。
【発明を実施するための最良の形態】
【０００７】
本発明およびそれをいかに実施することができるかについて理解を深めるために、例として添付の図面を参照する。
【０００８】
最初に図１を参照すると、ここにはセルラ通信ネットワークの３つのセル２が示されている。各セル２は、それぞれの基地トランシーバ局（ＢＴＳ）４によってサービスを提供される。基地局はＣＤＭＡシステムではノードＢと呼ばれることがある。各基地トランシーバ局は、所与の基地トランシーバ局４に関連付けられたセル内に位置する移動局６へ信号を送信し、かつそこから信号を受信するように構成される。同様に、各移動局６は、それぞれの基地トランシーバ局４へ信号を送信し、かつそこから信号を受信することができる。
【０００９】
図１に示したセルラ通信ネットワークは符号分割多重接続技術を使用する。
【００１０】
提案された新しいＣＤＭＡ標準（規格）では、マクロダイバーシティが可能である。これは、移動局を同時に２つの無線ネットワーク制御装置ＲＮＣに接続できることを意味する。しかし、コアネットワークに関する限り、これらの接続は、サービスを提供する無線ネットワーク制御装置ＳＲＮＣとして定義された、１つの無線ネットワーク制御装置によって制御される。このサービス提供無線ネットワーク制御装置ＳＲＮＣは、第３世代のサービス提供ＧＰＲＳサポートノード３Ｇ−ＳＧＳＮと通信する。このサービス提供ＧＰＲＳサポートノードは、ＧＳＭ標準に関連して使用されるＧＰＲＳ標準のそれに類似しているが、ＣＤＭＡ標準で使用できるように改変されている。
【００１１】
図２Ａを参照する。図２Ａでは、移動局６が２つの基地局４Ａおよび４ｂと通信している。これらの基地局４ａおよび４ｂは各々、同一無線ネットワーク制御装置ＲＮＣ１０ａに接続される。したがってこの共通無線ネットワーク制御装置１０ａはサービス提供無線ネットワーク制御装置であり、コアネットワーク１２に接続される。このコアネットワーク１２は破線によって表わされ、サービス提供無線ネットワーク制御装置の上流のネットワークの一部である。サービス提供無線ネットワーク制御装置１０ａは実際には、コアネットワーク１２の第３世代サービス提供ＧＰＲＳサポートノード３Ｇ−ＳＧＳＮ１４に接続される。
【００１２】
今、２つの基地局４ｃおよび４ｄに接続された移動局６を示す図２Ｂを参照する。しかし、図２Ａとは異なり、１つの基地局４ｃは１つの無線ネットワーク制御装置１０ｃに接続されるが、他の基地局４ｄは第２無線ネットワーク制御装置１０ｂに接続される。これらの無線ネットワーク制御装置の１つが、サービス提供無線ネットワーク制御装置ＳＲＮＣ１０ｂとして働く。図２Ｂに示した実施形態では、第２無線ネットワーク制御装置１０ｂがサービス提供無線ネットワーク制御装置として働く。他の無線ネットワーク制御装置１０ｃは、ドリフト無線ネットワーク制御装置ＤＲＮＣであると定義される。ドリフト無線ネットワーク制御装置１０ｃはサービス提供無線ネットワーク制御装置１０ｂに接続される。サービス提供無線ネットワーク制御装置１０ｂは、図２Ａに示した構成と同様に、ＳＧＳＮ１４に接続される。図２Ａに示した構成では、ドリフト無線ネットワーク制御装置およびサービス提供無線ネットワーク制御装置は、同一の無線ネットワーク制御装置である。
【００１３】
サービス提供無線ネットワーク制御装置１０ａまたは１０ｂは、基地局が同一の無線ネットワーク制御装置または異なる無線ネットワーク制御装置に接続されているかどうかに関わらず、２つの異なる基地局４ａ〜ｄを介して移動局６から受信した情報を結合することができる。後者の状況では、ドリフト無線ネットワーク制御装置１０ｃは、関連基地局４ｃからの情報をサービス提供無線ネットワーク制御装置１０ｂへ転送する。サービス提供無線ネットワーク制御装置１０ｂはまた、所与の移動局６向けに意図された情報を関連ドリフト無線ネットワーク制御装置１０ｃにコピーするので、サービス提供無線ネットワーク制御装置１０ｂに接続された基地局４ｃのみならず、ドリフト無線ネットワーク制御装置１０ｃに接続された基地局も、適切な場合、同じ情報を移動局６に送信することができる。
【００１４】
サービス提供無線ネットワーク制御装置ＳＲＮＣは、適切なドリフト無線ネットワーク制御装置ＤＲＮＣからの情報転送および無線資源要求を制御するように構成される。ドリフト無線ネットワーク制御装置は、移動局とサービス提供無線ネットワーク制御装置ＳＲＮＣとの間で情報を中継するだけである。
【００１５】
パケット交換トラフィック（すなわちパケット形式で伝送されるデータ）および回線交換トラフィック（すなわち音声）に、同一のサービス提供無線ネットワーク制御装置ＳＲＮＣを使用することが好ましい。
【００１６】
移動局が移動しているときに、当該移動局が通信している基地局を切り換えることが必要になる。これは、異なるサービス提供無線ネットワーク制御装置が必要になることを意味する。これを図３Ａおよび図３Ｂに関連して説明する。図３Ａに示した構成では、移動局６は単一の基地局４と通信している。この基地局４は、ドリフト無線ネットワーク制御装置１０ｃに接続されている。ドリフト無線ネットワーク制御装置は、図２Ｂに示すように、サービス提供無線ネットワーク制御装置１０ｂに接続される。サービス提供無線ネットワーク制御装置は現在のＳＧＳＮ１４に接続され、それがつぎにゲートウェイＧＰＲＳサービス提供ノード１６に接続される。したがって、移動局への、および移動局からの信号は次の経路、すなわち移動局６から、ドリフトＲＮＣ１０ｃに接続された基地局４ｃへ、ドリフトＲＮＣ１０ｃへ、ドリフトＲＮＣ１０ｃからサービス提供ＲＮＣ１０ｂへ、サービス提供ＲＮＣ１０ｂから現在のＳＧＳＮ１４へ、そして現在のＳＧＳＮ１４からＧＧＳＮ１６への経路をたどる。同じ経路は、ＧＧＳＮ１６から移動局６への信号にも、ただし逆方向に、使用される。
【００１７】
ＳＧＳＮ１４はまた、ホームロケーションレジスタ１８への接続をも有する。各無線ネットワーク制御装置１０ｂおよび１０ｃは、それぞれの第３世代移動体サービススイッチングセンタ２０ａおよび２０ｂに接続される。ドリフト無線ネットワーク制御装置１０ｃは異なるサービス提供ＧＰＲＳサポートノード２２にも接続されているが、これはこのモードでは使用されていない。また、ホームロケーションレジスタ１８と、サービス提供無線ネットワーク制御装置１０ｂに接続された第３世代移動体サービススイッチングセンタ２０ａとの間にも接続がある。
【００１８】
今、サービス提供無線ネットワーク制御装置が切り換えられた後で確立される接続を示す図３Ｂを参照する。この構成では、ドリフト無線ネットワーク制御装置１０ｃがサービス提供無線ネットワーク制御装置になる。サービス提供無線ネットワーク制御装置１０ｂはドリフト無線ネットワーク制御装置になるか、または移動局６との通信に関与しなくなる。移動局は、新しいサービス提供無線ネットワーク制御装置１０ｃに接続された基地局４ｃとの間で信号を送受信し続ける。新しいサービス提供無線ネットワーク制御装置１０ｃは、それが接続されたＳＧＳＮ２２との接続を確立している。新しいサービス提供無線ネットワーク制御装置１０ｃに接続されたサービス提供ＧＰＲＳノード２２からの信号は、ＧＧＳＮ１６に受け渡される。ホームロケーションレジスタＨＬＲ１８と、新しいサービス提供無線ネットワーク制御装置１０ｃに接続された移動体サービススイッチングセンタ２０ｂとの間に、接続が確立される。また、ホームロケーションレジスタ１８と、新しいサービス提供無線ネットワーク制御装置１０ｃに接続されたＳＧＳＮ２２との間にも、接続が確立される。
【００１９】
この接続変更手続きは、ターゲット無線ネットワーク制御装置（すなわちドリフト無線ネットワーク制御装置）が移動局との間の通信をすべて制御しているときに行われる。言い換えると、サービス提供無線ネットワーク制御装置は、それが制御している基地局のいずれによっても移動局６と通信しない。
【００２０】
移動局６とＧＧＳＮ１６との間の接続は、今や、基地局４ｃ、新しいサービス提供無線ネットワーク制御装置１０ｃ、および新しいＳＧＳＮ２２を介する。
【００２１】
無線資源（リソース）制御は、無線ネットワーク制御装置と移動局との間に共通の制御およびシグナリングを提供する。同一無線資源制御接続が、音声およびパケットデータトラフィックの両方に使用される。無線資源制御（ＲＲＣ）モードを図４に図式的に示す。ＲＲＣアイドル休止モード３０時には、移動局とユニバーサル移動体通信システム地上無線アクセスネットワーク（ＵＴＲＡＮ）との間に確立された接続はない。ＵＴＲＡＮは、ＲＮＣとＢＴＳを組み合わせたものである。ユーザ機器がネットワークに、ただしＲＲＣアイドルモードで接続されると（これは移動体がアクティブ通信状態でないことを意味する）、位置はＳＧＳＮによって追跡される。このモード時には、ブロードキャストチャネル上のネットワークダウンリンクからユーザ機器に送信されるシステム情報を除いては、ＵＴＲＡＮと移動局との間にシグナリングはない。ユーザ機器は、このモード時にページングメッセージを受信することもできる。この状態では、移動局に関する情報はＵＴＲＡＮに保存されない。
【００２２】
接続モード３２時の主要な状態は、セル接続状態３４およびＵＴＲＡＮ登録エリア（ＵＲＡ）接続状態である。１つの無線ネットワーク制御装置がサービス提供無線ネットワーク制御装置として働き、移動局と当該サービス提供無線ネットワーク制御装置との間に無線資源制御接続が確立される。移動局の位置がセルレベルで知られると、移動局はセル接続状態になる。無線資源制御接続の変更は、ハンドオーバ手続きによって処理される。この状態で、無線リンクは、様々なチャネルを使用することができる。
１．専用チャネル（ＤＣＨ）：このチャネルでは、拡散符号が移動局に割り当てられ、その移動局単独で使用される。
２．専用共有チャネル（ＤＳＣＨ）：このチャネルでは、拡散符号が多数の移動局の間で共用される。無線チャネルはパケットトラフィック用に最適化される。
３．ダウンリンクの共通チャネルおよびアップリンクのランダムアクセスチャネル：これらは共有チャネルであり、短いパケットに使用するのに適している。
【００２３】
移動体の位置がＵＲＡレベルのみで知られたとき、つまり、それがどのセルグループ内にあるかが知られたとき、移動局はＵＲＡ接続状態になる。ＵＲＡはネットワークの１組のセルを含む。言い換えると、移動局は、一緒に合わせてＵＲＡを定義する複数のセルのうちの１つにある。ＵＲＡ更新手続きは接続変更を提供する。ダウンリンクパケット転送のためにページングが行われる。
【００２４】
無線アクセスベアラは、ＳＧＳＮと移動局との間の接続を表わす。無線アクセスベアラは２つのブランチを含む。第１ブランチは、無線ネットワーク制御装置とＳＧＳＮとの間のＧＴＰ（ＧＰＲＳトンネリングプロトコル）トンネルである。第２ブランチは、移動局と無線ネットワーク制御装置との間にある。１つの移動局とＳＧＳＮとの間には、無線アクセスベアラが確立されたときに起動されるＰＤＰ（パケットデータプロトコル）コンテキストと同じ数の無線アクセスベアラがある。無線資源制御接続は、シグナリングのために移動局と無線ネットワーク制御装置との間に確立される。しかし、それだけでは無線アクセスベアラは確立されない。無線アクセスベアラは、それに加えて無線ネットワーク制御装置とＳＧＳＮとの間の接続も確立されたときにだけ確立される。
【００２５】
今、図５を参照する。この構成では、無線ネットワーク制御装置５０内で、資源の使用を最適化するために特定の移動局のＲＲＣ接続を解除すべきであることを決定するプロセスが行われる。解除しなければ不必要なシグナリングを使用することになる接続を解除することによって、ネットワークの無線資源が節約され、こうして（通信の）容量および／または品質が改善される。したがって、無線ネットワーク制御装置５０はＩｕ解除要求５４をＳＧＳＮ５２に送信する。Ｉｕは無線ネットワーク制御装置とＳＧＳＮ５２との間のインタフェースである。ＳＧＳＮ５２に送信された要求は、なぜベアラを解除すべきであるか、その理由を示す。本発明の実施形態では、資源を最適化するために接続を切断することができる。これについて、以下にさらに詳しく述べる。
【００２６】
ネットワークの運用と保守の制御装置が干渉して接続を切断したい場合、あるいは移動局とＳＧＳＮ５２との間のいずれかの位置に機器の故障がある場合、接続を解除することが知られている。
【００２７】
ＳＧＳＮ５２は、無線ベアラの解除要求を確認するか否かを決定する。ＳＧＳＮ５２が接続を切断すべきであることに同意すると、解除コマンド５６がＩｕインタフェースを介して無線ネットワーク制御装置５０に送信される。
【００２８】
無線ネットワーク制御装置５０と移動局５８との間の無線資源接続がまだ解除されていない場合、無線ネットワーク制御装置は、無線資源制御接続の解除メッセージ６０を移動局に送信する。移動局は接続を解除し、無線資源制御接続の解除済みメッセージ６２を無線ネットワーク制御装置５０に送信する。次いで無線ネットワーク制御装置５０は、接続が解除されたことの確認信号５９を、ＩｕインタフェースでＳＧＳＮ５２に送信する。
【００２９】
今、図５に示したものの代替実施形態を示す図６を参照する。図６に示す実施形態では、無線ネットワーク制御装置５０はＳＧＳＮ５２に解除要求を送信しない。代わりに、ＲＮＣ５０は無線接続解除メッセージ６４を移動局５９に送信する。移動局は確認メッセージ６６を無線ネットワーク制御装置５０に送信し、それらの間の接続が切断される。次いで無線ネットワーク制御装置５０は、Ｉｕインタフェースを介してＳＧＳＮ５２に、接続が解除されたことを知らせる。次いでＳＧＳＮ５２は、全てのＩｕ接続を解除する。この代替シグナリングは、特にＳＧＳＮからの確認が必要でない場合に適用可能である。図５または図６に示すシグナリング手続きをトリガするＲＮＣプロセスは、（とりわけ）確立された無線アクセスベアラのサービス品質プロファイルに基づいて、特定の移動局のＲＲＣ接続を解除する決定を下さなければならない。このプロセスは、サービス品質プロファイルから、このベアラがＳＧＳＮ５２と移動局５８との間のバースティトラフィックに使用されていることが示される場合にだけ、そのＲＲＣ接続を解除することができる。この種のトラフィックは、トラフィッククラスパラメータによって示される。
【００３０】
あるクラスのトラフィックは背景（background）トラフィックと呼ばれ、別の種類のトラフィックは対話型（interactive）トラフィックと呼ばれる。背景トラフィックは、例えば時間に敏感でないメッセージトラフィックであり、対話型トラフィックは、例えば結果的にウェブブラウジンブを生じるトラフィックである。これらの種類のトラフィックでは両方とも、ＳＧＳＮは、いつどのトラフィックが移動局に転送されるか、かつ同様に、いつどのトラフィックが移動局から受信されるかを、予想することができない。無線ネットワーク制御装置は、以下の１つまたはそれ以上の理由に対してベアラの解除を制御するプロセスを実行する。
１．無線ネットワーク制御装置は、最後のパケットが移動局へ転送されてから、または移動局から受信されてからの時間を測定するタイマを有する。パケットが転送されることなく所与の時間が経過すると、無線ネットワーク制御装置は接続を解除する。サービス品質プロファイルによって、特にトラフィックが対話型または背景トラフィックであるかどうかによって、異なる時間を使用することができる。背景トラフィックに対しては、より短い時間を提供することができる。
２．無線ネットワーク制御装置は、移動局の無線接続状態を考慮することができる。例えば、ＲＮＣは、ＵＲＡ接続モード時にだけＲＲＣ接続を解除することができる。
３．例えば移動体スイッチングセンタから無線ネットワーク制御装置を介して移動局に別の無線ベアラが確立された場合、接続を維持することができる。理由は、追加資源を使用することなく、パケット接続のために無線アクセスベアラを維持することができるように、ＲＮＣがこの移動体を回線交換接続のためにＲＲＣ接続状態に維持しなければならないからである。
４．無線ネットワーク制御装置は、移動局の移動を考慮することができる。移動局が所与の速度以上で移動している場合、ベアラ接続は解除することができる。高速移動する移動局は、比較的大量の無線資源を更新（例えばＵＲＡ更新）のために使用する。無線ネットワーク制御装置はＵＲＡ更新の最大回数、例えば１０回を設定することができ、その時間内にユーザデータトラフィックが受信されなければ、接続を解除することができる。これは、移動体の移動を考慮するための高尚な方法である。
５．無線ネットワーク制御装置は、移動局が異なる無線ネットワーク制御装置によって制御されるエリアに入った場合、接続を解除することができる。これに関しては、図３ａおよび図３ｂを参照されたい。
【００３１】
上述の通り、無線ネットワーク制御装置がベアラを解除すべきかどうかを決定するために、これらの方法を組み合わせて使用することができる。例えば、ＵＲＡ更新中の移動局が新しい無線ネットワーク制御装置エリアに入った場合、サービス提供無線ネットワーク制御装置は、無線ベアラを解除するように構成することができる。これが今度は、移動局からのルーティングエリア更新をトリガすることができる。ルーティングエリア更新は、移動体がＲＲＣアイドルモードでその位置をＳＧＳＮに通知するために使用される。ベアラが解除されると、無線ネットワーク制御装置の内部資源を節約することができる。例えば、接続が確立されるたびに、無線ネットワーク制御装置は幾らかのバッファ資源をそれに割り当てる必要がある。そこで接続が使用されていなければ、バファ資源が無駄になる。
【００３２】
別の例では、移動局が回線交換接続、例えば音声接続を有している場合、無線ネットワーク制御装置はパケットベアラを、そうでない場合より長く確立させておくことができる。これは、交信中またはその後にユーザがデータを転送する可能性が高いので、そうしなければ無線ネットワーク制御装置がそのベアラをわざわざ再確立しなければならないからである。
【００３３】
上述した実施形態の一変形では、ベアラセットアップ手続きで、無線ネットワーク制御装置がベアラの解除を示唆することができるかどうかを無線ネットワーク制御装置に指示するように、ＳＧＳＮを構成することができる。これに関連する規則もまた、ＳＧＳＮから無線ネットワーク制御装置へ転送することができる。ベアラセットアップにおける指示は、ＳＧＳＮによって無線ネットワーク制御装置に提供されるサービス品質パラメータから、無線ネットワーク制御装置が暗黙に誘導することができる。
【００３４】
ＳＧＳＮはタイマ値を指示するか、または特定のサービス品質プロファイルのベアラが確立された場合、ＲＲＣ接続を解除しないように指示することができる。こうしてＳＧＳＮは、接続をいつ解除するかを決定するためにそれが持つ規則をどのように解釈すべきかについて、ＲＮＣに指示することができる。
【００３５】
本発明を移動体に関連して説明したが、本発明の実施形態は他の種類のユーザ機器、例えばコンピュータ端末に適用できることを理解されたい。これらのコンピュータ端末は固定または携帯とすることができる。
【００３６】
本発明の実施形態を、符号分割多重接続システムの文脈で説明した。本発明の実施形態は、他の適切な拡散スペクトラム接続技術、周波数分割多重接続技術、時分割多重接続技術、またはそれらのハイブリッドにも使用できることを理解されたい。
【図面の簡単な説明】
【００３７】
【図１】本発明の実施形態を組み込むことのできるセルラ通信ネットワークを示す。
【図２Ａ】単一の無線ネットワーク制御装置の制御下にある２つの基地局と通信している移動局を示す。
【図２Ｂ】各々異なる無線ネットワーク制御装置に接続された２つの基地局と通信している移動局を示す。
【図３Ａ】サービス提供無線ネットワーク制御装置が切り換えられる前の接続を示す。
【図３Ｂ】サービス提供無線ネットワーク制御装置が切り換えられた後の接続を示す。
【図４】様々な無線資源制御モードを示す。
【図５】本発明の第１実施形態を示す。
【図６】本発明の第２実施形態を示す。
【図１】
2008228326.tif 000003
【図２Ａ】
2008228326.tif 000004
【図２Ｂ】
2008228326.tif 000005
【図３Ａ】
2008228326.tif 000006
【図３Ｂ】
2008228326.tif 000007
【図４】
2008228326.tif 000008
【図５】
2008228326.tif 000009
【図６】
2008228326.tif 000010